(57)【要約】【課題】本発明は、表示画面を照射手段により照射して表示輝度を得る電子機器で、照射手段を安定して動作させることが可能にし、安定した表示輝度を得ることが可能な電子機器およびシステム制御方法を提供することを目的とする。【解決手段】パソコン全体の制御を司るＣＣＰＵ１１の上面にはＣＰＵ１１を冷却するための冷却ユニット部材であるヒートシンク１２が熱接続されている。ヒートシンク１２には、ヒートパイプ１３が接続されており、ヒートパイプ１３は、ヒンジ４を介してディスプレイユニット２内に設けられたＦＬ管１４と熱接続されている。また、ＦＬ管１４は、ＦＬインバータ１５と電気的に接続されており、ＦＬインバータ１５の制御の元に発光される。【選択図】  図２
2004226865.tif 000002
【特許請求の範囲】
【請求項１】
本体と、
前記本体に設けられ発熱する電子部品と、
前記本体に回動可能に接続されるとともに表示パネルを有する表示部と、
前記表示パネルに光を照射する照射手段と、
前記照射手段と前記電子部品とを熱的に接続する接続手段と
を具備することを特徴とする電子機器。
【請求項２】
本体と、
前記本体に設けられ発熱する電子部品と、
前記本体に回動可能に接続されるとともに表示パネルを有する表示部と、
前記表示パネルに光を照射する照射手段と、
前記照射手段と前記電子部品とを熱的に接続する接続手段と、
前記照射手段の温度を測定可能な温度測定手段と、
前記温度測定手段と接続され、前記温度測定手段により前記照射手段が所定温度より低い場合に前記照射手段を連続点灯させる第１のモードで動作させ、前記照射手段が所定温度以上の場合に前記照射手段を間欠動作させる第２のモードで動作させる制御手段と
を具備することを特徴とする電子機器。
【請求項３】
本体と、
前記本体に回動可能に接続されるとともに表示パネルを有する表示部と、
前記表示パネルに光を照射する照射手段と、
前記照射手段の温度を測定可能な温度測定手段と、
前記温度測定手段と接続され、前記温度測定手段により前記照射手段が所定温度より低い場合に前記照射手段を連続点灯させる第１のモードで動作させ、前記照射手段が所定温度以上の場合に前記照射手段を間欠動作させる第２のモードで動作させる制御手段と
を具備することを特徴とする電子機器。
【請求項４】
前記電子部品はＣＰＵであることを特徴とする請求項１乃至３に記載の電子機器。
【請求項５】
前記制御手段は、前記電子機器が起動する際は前記第１のモードで動作させることを特徴とする請求項２または３に記載の電子機器。
【発明の詳細な説明】
【０００１】
【発明の属する技術分野】
本発明は、表示手段を具備するノートパソコンのような電子機器に関する。
【０００２】
【従来の技術】
従来、パーソナルコンピュータ（以後、パソコンと称す）では、低消費電力化が推し進められている。特にパソコンでは、ＣＰＵ系、表示系（ＦＬ（Ｆｌｕｏｒｅｓｃｅｎｔ  Ｌａｍｐ）インバータ、ＶＧＡ（Ｖｉｄｅｏ  Ｇｒａｐｈｉｃｓ  Ａｒｒａｙ）コントローラ、液晶ディスプレイ（ＬＣＤ））だけで、消費電力全体の５０％を越える割合を占める。
【０００３】
なかでも、ＦＬインバータの消費電力は表示系でも大きな割合を占めている。このＦＬインバータはＬＣＤへ光を照射するＦＬ管（照射手段：冷陰極管）の制御を行うものであり、消費電力を抑えるためにＦＬ管に流す電流量を低くしたり、電流を間欠的に流す（以後、バーストモード）といった制御を行うことで省電力の改善を行っている（特許文献１）。
【０００４】
【特許文献１】特開２００２−１２３２２６号公報（第２１頁、第４図）
【０００５】
【発明が解決しようとする課題】
しかし、ＦＬ管は温度が低いと、発光が暗くなり、所望の明るさで表示できないと言う問題があり、パソコン起動時にはＦＬ管が低温のため、バーストモードのように間欠的に電圧を印加する方式では安定したＦＬ管の制御を行うことが出来ないと言う問題があった。
【０００６】
このため、パソコンにおいては、パソコンの起動時に無条件で一定時間ＦＬインバータを連続動作させ（以下、連続モードと称す）、ＦＬ管の温度を上昇させた後に、ＬＣＤの表示を所望の輝度に設定していた。
【０００７】
しかし、上記方法を用いた場合には、起動時から一定時間経過まで（連続モード実行時）と一定時間経過後（バーストモード実行時）とで、表示輝度が変わってしまい、ユーザに不信感を抱かせる可能性もあると言った問題があった。
【０００８】
本発明は上記課題を解決するために、表示画面を照射手段により照射して表示輝度を得る電子機器で、照射手段を安定して動作させることを可能にし、安定した表示輝度を得ることが可能な電子機器を提供することを目的とする。
【０００９】
【課題を解決するための手段】
上記目的を達成するために、請求項１に係る発明では、本体と、前記本体に設けられ発熱する電子部品と、前記本体に回動可能に接続されるとともに表示パネルを有する表示部と、前記表示パネルに光を照射する照射手段と、前記照射手段と前記電子部品とを熱的に接続する接続手段とを具備することを特徴とする。
【００１０】
このような構成により、照射手段を安定して動作させることを可能にし、安定した表示輝度を得ることが可能な電子機器を提供することが可能である。
【００１１】
また、請求項２に係る発明では、本体と、前記本体に設けられ発熱する電子部品と、前記本体に回動可能に接続されるとともに表示パネルを有する表示部と、前記表示パネルに光を照射する照射手段と、前記照射手段と前記電子部品とを熱的に接続する接続手段と、前記照射手段の温度を測定可能な温度測定手段と、前記温度測定手段と接続され、前記温度測定手段により前記照射手段が所定温度より低い場合に前記照射手段を連続点灯させる第１のモードで動作させ、前記照射手段が所定温度以上の場合に前記照射手段を間欠動作させる第２のモードで動作させる制御手段とを具備することを特徴とする。
【００１２】
このような構成により、照射手段を安定して動作させることを可能にし、安定した表示輝度を得ることが可能な電子機器を提供することが可能である。
【００１３】
【発明の実施の形態】
以下本発明に係る実施形態を、図面を参照して説明する。
【００１４】
図１に、第１の実施形態に係る電子機器の斜視図を示す。
【００１５】
第１の実施形態では、電子機器の例としてノート型のパーソナルコンピュータ（パソコン）を挙げ説明する。
【００１６】
パソコン１は、上面部にキーボード２が配設された本体ユニット３と、本体ユニット３とヒンジ部４を介して接続されるディスプレイユニット５とを有しており、ディスプレイユニット５は本体ユニット３内で処理されたデータなどを表示可能にするＬＣＤ６を有している。
【００１７】
ディスプレイユニット５はヒンジ部４を介して、キーボード２を覆う閉状態と、本体ユニット３に対して略垂直状態でキーボード２を使用可能な状態とさせる開状態との間で回動可能である。ＬＣＤ６は、ディスプレイユニット５に内蔵されたＦＬ管（照射手段：図示せず）により光を照射され表示面の明るさ（表示輝度）を保ち、使用者に視認可能な表示が行なわれる。
【００１８】
図２に第１の実施形態に係るパソコンの内部部品実装斜視図を示しす。
【００１９】
図２は、図１で示したパソコン１のキーボード２を外した図であり、パソコン全体の制御を司るＣＰＵ１１が露出されたように示されてる。ＣＰＵ１１の上面にはＣＰＵ１１を冷却するための冷却ユニット部材であるヒートシンク１２が熱接続されている。ＣＰＵ１１とヒートシンク１２との間は熱伝導を良くするため、グリースなどを介して接続されており、ＣＰＵ１１の動作に伴って発生した熱はヒートシンクへ伝わる。
【００２０】
さらにヒートシンク１２には、ヒートパイプ１３が接続されており、ヒートパイプ１３は、ヒンジ４を介してディスプレイユニット２内に設けられたＦＬ管１４と熱接続されている。ヒートパイプ１３は円筒形状であり、ヒートシンク１２とヒートパイプ１３とは伝導率を良くするために、ヒートパイプ１３の円筒側面とヒートシンク１２の側面または上面と接続されている。ＦＬ管１４とヒートパイプ１３とは、ＦＬ管１４の長手側面とヒートパイプ１３の円筒側面とが当接されている。ＦＬ管１４は、ＦＬインバータ１５と電気的に接続されており、ＦＬインバータ１５の制御の元に発光される。
【００２１】
続いて、図３に第１の実施形態に係るパソコンのハードウェア構成の簡略図を示す。
【００２２】
ここでは、本実施形態に関わる部分のみを示すものであり、パソコン１が、このハードウェアのみによってだけ構成されるものではない。また、実線で示されているハードウェアは電気的に接続されているものを示し、破線で示されているハードウェアは熱接続されているものを示す。
【００２３】
このパソコン１の制御を司るＣＰＵ１１とブリッジ回路１６とは６４ビット幅のデータバスを有するＣＰＵローカルバスによって接続されており、ブリッジ回路１６とメインメモリ１７とはメモリバスを介して接続されている。また、ブリッジ回路１６には、グラフィクスコントローラ１８も接続されている。グラフィクスコントローラ１８はさらにＬＣＤ６が接続されている。また、ブリッジ回路１６には、キーボードなどの入出力デバイスの制御を行うサブマイコン１９が接続されている。さらに、サブマイコン１９はＦＬインバータ１５と接続されており、さらにＦＬインバータ１５はＦＬ管１６と接続されている。サブマイコン１９からの信号に基づきＦＬ管１６の制御を行う。
【００２４】
ＣＰＵ１１は、パソコン１全体の動作制御およびデータ処理等を実行するものである。
【００２５】
メインメモリ１７は、オペレーティングシステム（以後、ＯＳと称す）、パソコン１の各種ハードウェアの入出力制御を行うＢＩＯＳや各種ソフトウェアおよび処理データなどを格納するメモリデバイスであり、複数のＤＲＡＭなどによって構成している。
【００２６】
ブリッジ回路１６は、ＣＰＵ１１とメモリ１７、またグラフィクスコントローラ１８との間を繋ぐブリッジＬＳＩであり、それぞれのモジュール間でのデータ及びアドレスを含むバス幅を変換する機能、及びメモリバスを介してメインメモリ１７のアクセス制御を実行する機能などを有している。
【００２７】
グラフィクスコントローラ１８は、ブリッジ回路１６を介して送られてくる表示データをＬＣＤ６へ表示するための制御マイコンであり、ＬＣＤ６への表示データの出力タイミングなどを制御している。
【００２８】
サブマイコン１９は、ＣＰＵ１１によってリード／ライト可能な複数のレジスタ群を内蔵している。これらレジスタ群を使用することにより、ＣＰＵ１１とサブマイコン１９に接続されるデバイスとの間の通信が可能となる。また、サブマイコン１９はＦＬインバータ１５へＬＣＤ６の輝度を制御するアナログ信号を送出する。
【００２９】
ＦＬインバータ１５はＦＬ管１４を点灯させるための高電圧を発生させる回路であり、低電圧（５−２０Ｖ）からＦＬ管１４を発光させるために必要な電圧（５００−１０００Ｖ）程度に昇圧する。これはサブマイコン１９からのアナログ信号に応じて、ＦＬ管１４へ印加する電圧、及び電圧印加タイミングのコントロールなども行う。
【００３０】
ＦＬ管１４は、ＦＬインバータ１５から印加される電圧に応じて発光するデバイスであり、温度４０度前後で最大輝度が得られるように設計されている。ＦＬ管１４の内壁に蛍光体が塗布され、管両端に電極が取り付けられ、バッファーガスとしてのアルゴンと適量の水銀が封入されている。ＦＬインバータ１５から、ＦＬ管１４の両端の電極間に高電圧が印加されると、管内に残存する電子が陽極に引かれて高速に移動する間にアルゴンと衝突する。衝突電離増殖した陽イオンが陰極に衝突し、陰極から２次電子をたたき出して放電が開始する。放電により流れる電子は水銀原子と衝突する。励起した水銀が紫外線を放射、この紫外線が蛍光体を励起し、発光する。周囲温度が低い場合、水銀蒸気圧が下がるので、発光が不安定になる。このため、パソコン１の起動時などは特に画面が暗くなる場合がある。
【００３１】
また、ヒートシンク１２はＣＰＵ１１と熱接続されており、ヒートシンク１２はヒートパイプ１３を介してＦＬ管１４と熱接続されている。このことによって、ＣＰＵ１１の動作に基づいて発生した熱をＦＬ管１４へ熱伝導可能となり、ＦＬ管１４の温度を早く上昇させることが可能となる。特にＰＣの起動時や、表示部ケース５を閉じた状態から開いた時などに、ＦＬ管１４の温度を早く上昇させることが可能となる。このことにより、ＦＬ管１４の輝度が安定するまでにかかる時間を短縮することが可能となる。
【００３２】
続いて図４乃至図６を用いて本発明に係る第２の実施形態について説明する。
【００３３】
図４に第２の実施形態に係るパソコンの内部部品実装斜視図を示し、図５に第２の実施形態に係るパソコンのハードウェア構成図を示す。
【００３４】
第１の実施形態と同じハードウェアには同じ番号を付し、その説明を省略する。
【００３５】
第１の実施形態と異なる点は、表示部ケース２に温度センサ２１を設け、ＦＬ管１４の温度を測定している。温度センサ２１で測定された温度情報はＦＬインバータ１５へ入力され、ＦＬ管１４が所定温度に達したことを検出すると、動作モードを連続モードからバーストモードへ切り替える。
【００３６】
図６にＦＬインバータの動作モード切替のフローチャートを示す。
【００３７】
例えば、パソコン１が起動されると、ＣＰＵ１１が動作され、これに伴い熱が発生する。発生された熱は、ヒートシンク１２及びヒートパイプ１３を介してＦＬ管１４へ熱伝導される。ＦＬ管１４は、ＦＬインバータ１４から連続的に電圧を印加され（連続モード）温度が上昇するのに加え、ヒートパイプ１３からの受熱に伴い温度が上昇される。
【００３８】
温度センサ２１は、ＦＬ管１４の温度情報をＦＬインバータ１５へ通知し、ＦＬインバータ１５は温度センサ２１からの情報に基づいて、ＦＬ管１４の温度を検出する。ＦＬ管１４の温度が所定値を越えた場合（ステップＳ１０１のＹＥＳ）、バーストモードに動作モードを変更する（ステップＳ１０２）。ここで、例えば所定値として３０度が設定されている。
【００３９】
ステップＳ１０１において、ＦＬ管１４の温度が所定値を越えていない場合（ステップＳ１０１のＮＯ）、引き続き連続モードで動作される（ステップＳ１０３）。
【００４０】
この温度の閾値は、システムやＦＬ管１４のサイズやＦＬインバータ１５の特性によって適宜変更される。
【００４１】
上述のように、第２の実施形態では、ＣＰＵ１１の動作に基づいて発生した熱をＦＬ管１４へ熱伝導可能となり、ＦＬ管１４の温度を早く上昇させることが可能となり、且つＦＬ管の温度に基づいてＦＬインバータ１５の動作モードを変更可能であるので、外気温などの影響を受けることが少なく、安定した輝度で表示を行なうことが可能である。
【００４２】
上記実施形態では、熱発生源としてＣＰＵを例に説明したが他にも熱を発するＩＣや電源回路などをＦＬ管と熱接続しても構わない。また、熱接続する部材としてヒートパイプを例に説明したが、これ以外にも熱伝導率が高い材質なら構わない。
【００４３】
尚、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。
【００４４】
上述したように、本発明によれば表示画面を照射手段により照射して表示輝度を得る電子機器で、照射手段を安定して動作させることが可能になり、安定した表示輝度を得ることが可能な電子機器を提供できる。
【００４５】
【発明の効果】
以上詳述した発明によれば、本発明によれば表示画面を照射手段により照射して表示輝度を得る電子機器において、照射手段を安定して動作させることが可能になり、安定した表示輝度を得ることが可能となる。
【図面の簡単な説明】
【図１】第１の実施形態に係る電子機器の斜視図。
【図２】第１の実施形態に係るパソコンの内部部品実装斜視図。
【図３】第１の実施形態に係るパソコンのハードウェア構成図。
【図４】第２の実施形態に係るパソコンの内部部品実装斜視図。
【図５】第２の実施形態に係るパソコンのハードウェア構成図
【図６】第２の実施形態に係るＦＬインバータの動作モード切替のフローチャート。
【符号の説明】
１…パソコン
２…キーボード
３…本体ケース
４…ヒンジ部
５…表示部ケース
６…ＬＣＤ
１１…ＣＰＵ
１２…ヒートシンク
１３…ヒートパイプ
１４…ＦＬ管
１５…ＦＬインバータ
１６…ブリッジ回路
１７…メインメモリ
１８…グラフィックコントローラ
１９…サブマイコン
２１…温度センサ
【図１】
2004226865.tif 000003
【図２】
2004226865.tif 000004
【図３】
2004226865.tif 000005
【図４】
2004226865.tif 000006
【図５】
2004226865.tif 000007
【図６】
2004226865.tif 000008